(57)【特許請求の範囲】
【請求項１】
ＩＣカードを出し入れ可能な複数のカードスロットを有し、前記ＩＣカードに電子通貨情報を格納し、かつ、前記電子通貨情報の引き出しが可能な電子財布において、
複数の操作キーと、電子通貨情報を表示する表示部と、電源スイッチと、さらに他の少なくとも１つの独立機能スイッチとを備え、
前記電源スイッチがオフ状態であって、かつ、前記独立機能スイッチが操作されている間、前記ＩＣカードに格納されている前記電子通貨情報を前記表示部に表示することを特徴とする電子財布。
【請求項２】
前記表示部に表示される電子通貨情報は、電子通貨の残高または前記ＩＣカードに関するデータ処理の排他性を示すロック状態であることを特徴とする請求項１記載の電子財布。
【請求項３】
ＩＣカードを出し入れ可能な複数のカードスロットを有し、前記ＩＣカードに電子通貨情報を格納し、かつ、前記電子通貨情報の引き出しが可能な電子財布において、
複数の操作キーと、電子通貨情報を表示する表示部と、電源スイッチと、さらに他の少なくとも１つの独立機能スイッチとを備え、
前記電源スイッチがオフ状態であって、かつ、前記独立機能スイッチが操作されている間、前記ＩＣカードを、データ処理の排他性を示すロック状態にすることが許可されることを特徴とする電子財布。
【請求項４】
ＩＣカードを出し入れ可能な複数のカードスロットを有し、前記ＩＣカードに電子通貨情報を格納し、かつ、前記電子通貨情報の引き出しが可能な電子財布において、
複数の操作キーと、電子通貨情報を表示する表示部と、電源スイッチと、接点とを備え、
前記電源スイッチがオフ状態であって、かつ、前記接点が前記ＩＣカードの接点と導通状態にあるときに所定時間を与え、該所定時間の間に前記ＩＣカードに格納されている前記電子通貨情報を前記表示部に表示する制御部を備えたことを特徴とする電子財布。
【請求項５】
前記表示部に表示される電子通貨情報は、電子通貨の残高または前記ＩＣカードに関するデータ処理の排他性を示すロック状態であることを特徴とする請求項４記載の電子財布。
【請求項６】
ＩＣカードを出し入れ可能な複数のカードスロットを有し、前記ＩＣカードに電子通貨情報を格納し、かつ、前記電子通貨情報の引き出しが可能な電子財布において、複数の数字キー及び演算キーを有する複数の操作キーと、電子通貨情報及びＩＣカード状態情報を表示する表示部と、電源スイッチと、さらに他の少なくとも１つの独立機能スイッチと、前記ＩＣカードに格納された前記電子通貨情報及び前記ＩＣカード状態情報を操作する複数のコントロールキーと、複数のタスクを有する複数の機能階層を有し、それぞれの前記機能階層が有する前記複数のタスクを選択する機能キーとを備え、
前記電源スイッチがオフ状態であって、かつ、前記独立機能スイッチが操作されている間、前記ＩＣカードに格納されている前記電子通貨情報を前記表示部に表示することを特徴とする電子財布。
【請求項７】
ＩＣカードを出し入れ可能な複数のカードスロットを有し、前記ＩＣカードに電子通貨情報を格納し、かつ、前記電子通貨情報の引き出しが可能な電子財布において、複数の数字キー及び演算キーを有する複数の操作キーと、電子通貨情報及びＩＣカード状態情報を表示する表示部と、前記ＩＣカードに格納された前記電子通貨情報及び前記ＩＣカード状態情報を操作する複数のコントロールキーと、複数のタスクを有する複数の機能階層を有し、それぞれの前記機能階層が有する前記複数のタスクを選択する機能キーとを備え、
前記機能キーによって選択される前記機能階層は、前記複数の機能階層の第１の機能階層であって、該第１の機能階層のタスクは、
（１）少なくとも前記カードスロットに挿入された第１のＩＣカード及び第２のＩＣカードのいずれかを選択する第１のサブタスクと、
（２）前記第１のＩＣカード及び第２のＩＣカードをロック状態にする第２のサブタスクと、
（３）前記電子通貨情報を転送する第３のサブタスクと、
（４）前記第１のＩＣカード及び第２のＩＣカードの履歴情報を前記表示部に表示する第４のサブタスクと、
（５）前記複数の機能階層の第２の機能階層を選択する第５のサブタスクとを有することを特徴とする電子財布。
【請求項８】
前記コントロールキーは、前記表示部に表示された情報の消去及び進行中の前記電子通貨の転送を停止させるためのクリア／キャンセルキーと、前記電子通貨の転送方向を指示するアップキー及びダウンキーと、実行を指示する決定キーとを含み、前記アップキー及びダウンキーは、
（１）前記第１のサブタスクが選択された際、前記キーの何れかの操作により前記第１のＩＣカードまたは第２のＩＣカードの何れかを指示し、
（２）前記第３のサブタスクが選択された際、前記キーの何れかの操作により前記電子通貨情報の転送方向を指示し、
（３）前記第４のサブタスクが選択された際、前記キーの何れかの操作により前記ＩＣカードの最初から最新の履歴情報を検索し、
（４）前記第５のサブタスクが選択された際、前記キーの何れかの操作により前記第２の機能階層のタスクを選択する機能を有することを特徴とする請求項７記載の電子財布。
【請求項９】
ＩＣカードを出し入れ可能な複数のカードスロットを有し、前記ＩＣカードに電子通貨情報を格納し、かつ、前記電子通貨情報の引き出しが可能な電子財布の操作方法において、
（ａ）カードスロットにＩＣカードを挿入し、
（ｂ）電源スイッチの他に少なくとも１つ備えられた独立機能スイッチを前記電源スイッチがオフの状態で操作し、
（ｃ）前記独立機能スイッチが操作されている間、前記ＩＣカードに格納されている電子通貨情報を表示部に表示することを特徴とする電子財布の操作方法。
【請求項１０】
ＩＣカードを出し入れ可能な複数のカードスロットを有し、前記ＩＣカードに電子通貨情報を格納し、かつ、前記電子通貨情報の引出しが可能な電子財布の操作方法において、
（ａ）カードスロットにＩＣカードを挿入し、
（ｂ）前記ＩＣカードに格納された電子通貨情報及びＩＣカード状態情報を表示部に表示し、
（ｃ）機能キーにより所定の機能階層が有する複数のタスクを表示部に表示し、
（ｄ）前記ＩＣカード状態情報に応じて前記ＩＣカード状態情報を操作し、
（ｅ）前記機能キーにより前記複数のタスクの何れかを選択し、
（ｆ）選択された前記タスクをコントロールキーにより実行し、
前記（ｃ）における前記機能階層の内の第１の機能階層の前記タスクとして、
（１）少なくとも前記カードスロットに挿入された第１のＩＣカード及び第２のＩＣカードのいずれかを選択する第１のサブタスクと、
（２）前記第１のＩＣカード及び第２のＩＣカードをロック状態にする第２のサブタスクと、
（３）前記電子通貨情報を転送する第３のサブタスクと、
（４）前記第１のＩＣカード及び第２のＩＣカードの履歴を前記表示部に表示する第４のサブタスクと、
（５）第２の機能階層を選択する第５のサブタスクとが前記表示部に表示されることを特徴とする電子財布の操作方法。
【発明の詳細な説明】
【０００１】
【発明の属する技術分野】
本発明は、電子通貨システムに使用するＩＣカードを収納する電子財布に係り、特に、電子通貨を収納したＩＣカードを使用した電子通貨の小口決済のために使用して好適な電子財布及びその操作方法に関する。
【０００２】
【従来の技術】
近年、電子通貨を収納したＩＣカード相互間の通信により、電子通貨のやりとりを行う電子通貨システムが提案されている。このシステムに使用するＩＣカードは、その内部に通信機能を有するマイクロプロセッサと、処理プログラム及び電子通貨の残額を格納するＥＥＰＲＯＭ等によるメモリとを備えて構成される。そして、ＩＣカードは、銀行、商店、個人の住宅等に備えられる端末を通信回線を介して任意に接続可能に構成される電子通貨システムを介して、また、専用の端末を使用することにより、他のＩＣカードとの間で、電子通貨の出し入れが可能である。
【０００３】
【発明が解決しようとする課題】
前述で提案されている電子通貨システムは、未だ、システムを構成する各機器が何のような機能、形態を備えるべきかが定められておらず、開発途上にあるものである。
【０００４】
本発明の目的は、前述した電子通貨システムにおいて用いられる電子通貨を格納したＩＣカードを収納して持ち歩くための電子財布を提供することにあり、ＩＣカード相互間、一般の電話回線等を利用したＩＣカード相互間において信号の送受信を行うことにより、個人相互間、個人対銀行間、個人対流通業者間で電子通貨による決済を行うことを可能にした電子財布及びその操作方法を提供することにある。
【０００５】
また、本発明の目的は、操作系に配置される操作キーの数を少なくして容易な操作を可能とし、表示を見易く理解し易いものとすることができ、通信系との接続が容易で、かつ、持ち運びに便利に薄型に構成した電子財布及びその操作方法を提供することにある。
【０００６】
【課題を解決するための手段】
前記目的を達成するための本発明の第１の特徴は、電子財布が少なくとも複数の操作キーと、電子通貨情報を表示する表示部と、電源スイッチと、さらに他の少なくとも１つの独立機能スイッチとを備え、独立機能スイッチが操作されている間、ＩＣカードに格納されている電子通貨情報を表示部に表示することにあり、これによって、独立機能スイッチから指を離すとオフ状態となり、電池の消費に無駄がなく、ＩＣカードの電子通貨の残高を容易に知ることができる。
【０００７】
本発明の第２の特徴は、電子財布が少なくとも複数の操作キーと、電子通貨情報を表示する表示部と、電源スイッチと、さらに他の少なくとも１つの独立機能スイッチとを備え、独立機能スイッチが操作されている間、ＩＣカードを、データ処理の排他性を示すロック状態にすることを許可することにあり、これによって、独立機能スイッチから指を話すとオフ状態になり、ＩＣカードを容易にロック状態にすることができる。
【０００８】
本発明の第３の特徴は、電子財布が少なくとも複数の操作キーと、電子通貨情報を表示する表示部と、接点を有し、該接点がＩＣカードの接点と導通状態のときに所定時間を与え、該所定時間の間に前記ＩＣカードに格納されている電子通貨情報を表示部に表示する制御部とを備えたことにあり、これによって、ＩＣカードの状態を瞬時に知ることができ、複数のＩＣカードの状態を順次調べることができる。
【０００９】
本発明の第４の特徴は、電子財布が少なくとも複数の数字キーと演算キーとを有する複数の操作キーと、電子通貨情報とＩＣカード状態情報を表示する表示部と、電源スイッチと、さらに他の少なくとも１つの独立機能スイッチと、ＩＣカードに格納された電子通貨情報及びＩＣカード状態情報を操作する複数のコントロールキーと、複数のタスクを有する複数の機能階層を有し、それぞれの機能階層が有する複数のタスクを選択する機能キーとを備えたことにあり、これによって、多くの機能を有する電子財布とすることができる。
【００１０】
前記の構成に、さらにコントロールキーとして、アップキー及びダウンキーを有することによって、第１のサブタスクが選択された際、前記アップキー及びダウンキーのいずれかの操作により第１のＩＣカードまたは第２のＩＣカードのいずれかを指示し、第３のサブタスクが選択された際、前記アップキー及びダウンキーのいずれかの操作により電子通貨情報の転送方向を指示し、第４のサブタスクが選択された際、前記アップキー及びダウンキーのいずれかの操作によりＩＣカードの最初から最新の履歴情報を検索し、第５のサブタスクが選択された際、前記アップキー及びダウンキーのいずれかの操作により第２の機能階層のタスクを選択することができるので、さらに多くの機能を持たせることができる。
【００１１】
さらに、モデムユニットがカードスロットに着脱可能に設けられ、カードスロットと連通するように貫通口と通信回線に接続可能にモジュラージャックとを有して構成されているので、モデムユニットをカードスロットに装着している際にも、ＩＣカードをカードスロットに挿入可能であり、通信回線を通して電子通貨を転送する際、取扱いが便利で、しかも通信回線に接続したままでもＩＣカードを電子財布に挿入することができる。
【００１２】
一方のカードスロットに挿入されたＩＣカードとの間で電子通貨情報を送受できる相手は、電子財布の他方のカードスロットに挿入されたＩＣカード、ＩＣカードに対して電子通貨情報を送受信可能な端末装置、モデムユニットを通して接続された他の電子財布のＩＣカードを含むものである。
【００１３】
【発明の実施の形態】
以下、本発明による電子通貨システムにおける電子財布の一実施形態を図面により詳細に説明する。
【００１４】
図１は本発明による電子財布が適用される電子通貨システムの構成を示すブロック図であり、まず、図１を参照して、電子通貨システムの構成を説明する。図１において、１は銀行営業店システム、２は流通システム、３はエンドユーザシステム、４は自動販売機システム、５は銀行計算機センタ、６は電子通貨発行組織、７は公衆通信網、１０はＩＣカード、１１は外付けＩＣカードリーダ／ライタ、１２は窓口端末、１３は内部通信回線、１４は現金自動預入支払機、１５は電子金庫、１６は電子通貨トランザクション制御端末、１７はリレーコンピュータ、２１は電子通貨用ＰＯＳ端末、２２はＰＯＳ端末、２３はストアコントローラー、２４はセンタ装置、２５は情報制御システム、２６はワークステーション、３１は電子財布、３２はパーソナルコンピュータ、３３はＰＣカード型カードリーダ／ライタ、３４はＩＣカード電話機、４１は内蔵型ＩＣカードリーダ／ライタ、４２は自動販売機、５１は勘定系システムホスト、５２は外接系システム、５３は外接系制御端末である。
【００１５】
図１に示す電子通貨システムは、公衆通信網７に、銀行営業店システム１、百貨店、スーパーマーケット等の大型商店に設けられる流通システム２、エンドユーザシステム３としてのパーソナルコンピュータ３２、ＩＣカード電話機３４が接続されて構成され、また、通信網７に接続されないシステムとして自動販売機システム４等を備えて構成されている。図示例では、代表的なシステムがそれぞれ１システムずつ示されているが、多数のシステムが公衆通信網７に接続されて構成することができる。また、銀行営業店システムは、専用回線等により銀行計算機センタ５に接続され、銀行計算機センタ５には、電子通貨発行組織６が接続されている。
【００１６】
ＩＣカード１０は、その内部に通信機能を有するマイクロプロセッサと、処理プログラム及び電子通貨の残額を格納するＥＥＰＲＯＭ等によるメモリとを備えて構成され、エンドユーザである個人が所持すると共に、電子通貨システムに参加する銀行、商店、自動販売機等により所持される。
【００１７】
銀行営業店システム１は、公知のように、窓口端末１２、現金自動預入支払機１４が内部通信回線１３を介して接続され、さらに、リレーコンピュータ１７を介して銀行計算機センタに接続されて構成されているが、電子通貨決済のために、窓口端末１２にＩＣカードリーダ／ライタ１１が設けられ、現金自動預入支払機１４には、ＩＣカードリーダ／ライタが内蔵され、また、電子通貨トランザクション制御端末１６を介して電子金庫１５が接続されて構成される。
【００１８】
銀行計算機センタ５は、勘定系システムホスト５１と、外接系システム５２とにより構成され、外接系システム５２は、外接系制御端末５３、リレーコンピュータ１７、電子金庫１５が備えられて構成されている。
【００１９】
流通システム２は、通常、ＰＯＳ端末が、内部通信回線１３、ストアコントローラー２３を介してセンタ装置２４に接続されて構成されるが、電子通貨決済のために、通常のＰＯＳ端末２２には外付けのＩＣカードリーダ／ライタ１１が設けられ、あるいは、電子通貨用ＰＯＳ端末２１を使用して構成される。また、センタ装置２４は、情報制御システム２５、ワークステーション２６、電子金庫１７を備えて構成される。
【００２０】
エンドユーザシステム３は、主に個人ユーザシステムであり、簡単にはＩＣカード内の電子通貨の残高を表示することのできる電子財布３１だけでよい。この電子財布３１には、電卓等の機能を加えることも可能である。また、パーソナルコンピュータ３２は、個人が所有するものに、電子通貨決済のために、ＰＣ型カードリーダ／ライタ３３を設けて、公衆通信網７と接続可能に構成される。また、通常の電話機に電子通貨を収納するＩＣカード１０に対する処理機能を備えたＩＣカード電話機３４を使用することもできる。
【００２１】
前述のエンドユーザーシステム３におけるパーソナルコンピュータ３２、ＩＣカード電話装置３４は、その内部に２枚のＩＣカードに対する２組のカードリーダ／ライタを設けることにより、２枚のＩＣカード相互間で電子通貨のやり取りを行うことができる。これにより、例えば、ご主人のＩＣカード内の電子通貨を、奥様のＩＣカードに移す等の、通常の現金を取り扱う場合と同様な処理を行わせることができる。
【００２２】
自動販売機システム４は、内蔵型のＩＣカードリーダ／ライタ４１が設けられた自動販売機４２により構成される。
【００２３】
次に、前述したように構成される本発明が適用される電子通貨システムの利用方法を説明する。
【００２４】
システムに参加する銀行、商店、自動販売機、個人等には、電子通貨発行組織６からＩＣカード１０が配布され、また、銀行は、通常に流通している現金と交換に電子通貨を受け取り、外接系システム５２内に設けられる電子金庫１５内に格納する。この電子金庫１５は、その内部に多数のＩＣカード１０を格納しており、各カード１０には、電子通貨発行組織から受け取った電子通貨が分配されて収納される。外接系システム５２における電子金庫１５内のＩＣカードに収納される電子通貨は、各銀行営業店に設置されている銀行営業店システム１における電子金庫１５内のＩＣカード１０に分配される。
【００２５】
電子通貨システムに参加するエンドユーザーとしての個人は、配布されたＩＣカード１０を所持し、銀行営業店システム１の窓口端末１２、現金自動預入支払機１４により、銀行に持つ自己の口座の預金を電子通貨に交換して引き下して、自己のＩＣカード１０内に収納する。また、所有するＰＣカード型リーダ／ライタ３３を有するパーソナルコンピュータ３２、または、ＩＣカード電話機３４を、公衆通信網７を介して銀行営業店システム１に接続して、前述の場合と同様に、銀行に持つ自己の口座の預金を電子通貨に交換して引き出し、自己のＩＣカード１０内に収納することができる。
【００２６】
前述の電子通貨の引き出しの際、個人の所持するＩＣカードは、自カード内に有する通信機能により、窓口端末１２、現金自動預入支払機１４、パーソナルコンピュータ３２、または、ＩＣカード電話機３４のリーダ／ライタを介して、銀行営業店システム１内の電子金庫１５内のＩＣカードと接続される。そして、電子通貨トランザクション制御端末１６の制御の下に、銀行営業店システム１内の電子金庫１５内のＩＣカード１０に収納されている電子通貨が、個人の所持するＩＣカード１０内に収納される。このとき、銀行営業店システム１内の電子金庫１５内のＩＣカード１０に収納されている電子通貨の残高は、個人の所持するＩＣカード１０内に収納した分だけ減額される。また、個人の口座からの預金の引き下しは、従来から行われていたと同様に行われる。
【００２７】
前述では、個人が所持するＩＣカードに、その個人の銀行口座の預金を引き降ろして収納するとして説明したが、現金を銀行の窓口または、電子通貨発行組織の窓口に持っていき、そこでＩＣカードに収納してもらうこともできる。
【００２８】
また、ＩＣカード内の電子通貨は、前述とは逆に、窓口端末１２、現金自動預入支払機１４、パーソナルコンピュータ３２を介して、銀行営業店システム１内の電子金庫１５内のＩＣカード内に返却し、同時に自己の口座に預入することができる。
【００２９】
前述のようにして、電子通貨を自己のＩＣカード１０内に収納したユーザは、各種商店等において、そのＩＣカードを現金と同様に使用して商品の買物を行い、また、各種のサービスを受けることが可能である。
【００３０】
いま、電子通貨を自己のＩＣカード１０内に収納したユーザが、商店で買物を行い、支払のためＰＯＳ端末のカウンタに買い上げた商品を持ち込んだものとする。扱い者は、通常の取引の場合と同様に、バーコード等を読み込ませることにより、商品の売値をＰＯＳ端末２１または２２から入力し、その合計を演算させて顧客に請求する。
【００３１】
顧客が現金の代りに電子通貨が収納されたＩＣカードにより支払いを行う場合、顧客は、そのＩＣカードを、電子通貨用ＰＯＳ端末１２のカード挿入孔、または、通常のＰＯＳ端末２２に接続されたＩＣカードリーダ／ライタ１１に挿入する。これにより、顧客のＩＣカードとその商店のセンタ装置２４に設置されている電子金庫１５内のＩＣカードの１枚とが、内部通信回線１３、ワークステーション２６とを介して接続され、顧客のＩＣカード内の電子通貨がセンタ装置２４に設置されている電子金庫１５内のＩＣカードの１枚に移され、ＰＯＳ端末からレシートが出力されて、買物による支払の処理が終了する。この場合、顧客のＩＣカード内の電子通貨は、買物に使用された分だけ減額され、商店のＩＣカードの電子通貨に加算される。
【００３２】
前述では、多数のＰＯＳ端末と、センタ装置２４に多数のＩＣカードを格納した電子金庫を備える流通システムにおいて、商品の取引代金を支払うものとして説明を行ったが、個人商店等で、１台の入金機のみを備えるようなシステムの場合、入金機に顧客のＩＣカードのためのＩＣカードリーダ／ライタを設け、また、入金機の内部に、その商店が所持するＩＣカードを持たせることにより、この商店が所持するＩＣカードと、ＩＣカードリーダ／ライタを介して接続される顧客のＩＣカードとの間で、電子通貨による支払を行うことができる。そして、商店が所持するＩＣカード内の電子通貨は、前述したように、銀行の口座に入金することができ、あるいは、銀行の窓口で現金化することもできる。
【００３３】
さらに、前述したＰＯＳ端末を有する流通システムにおいて、システムの構築方法として、各ＰＯＳ端末にＩＣカードを持たせ、顧客のＩＣカードとの間の金銭授受を、一旦、このＰＯＳ端末内のＩＣカードと顧客のＩＣカードとの間で行い、必要に応じて、ＰＯＳ端末からセンタ装置２４の電子金庫１５内のＩＣカードに移すようにすることができる。
【００３４】
また、自動販売機４２等が電子通貨システムに参加する場合、自動販売機４２に内蔵型のＩＣカードリーダ／ライタ４１を設けると共に、自動販売機自身にＩＣカードを備え、顧客がＩＣカードリーダ／ライタ４１に挿入したＩＣカードとの間で金銭の授受を行うようにすればよい。
【００３５】
次に、前述のように使用される電子通貨システムに使用される本発明による電子財布の実施形態を図面により説明する。
【００３６】
図２は本発明の一実施形態による電子財布の機能構成を示すブロック図である。図２において、３１１はモデムコネクタ、３１２は液晶表示部、３１３は電子通貨制御用マイクロプロセッサ、３１４は制御部、３１５、３１６はＩＣカードリーダ／ライタ、３１７は操作キー部、３１８は電源スイッチ、３１９１、３１９２は第１及び第２の独立機能スイッチ（これらの独立機能スイッチは押している間はオン状態、指をスイッチから離すとオフ状態となる）、３２０はバッテリー、３２１は電子財布用モデムユニット、３２３は電話回線であり、他の符号は図１の場合と同一である。
【００３７】
本発明の一実施形態による電子財布は、図２及び後述する図３に示すように、通常の状態で持ち歩くための電子通貨が格納されたＩＣカード１０に対するＩＣカードリーダ／ライタ３１５と、このＩＣカード１０との間で相互に電子通貨の出し入れを行うＩＣカード１０’に対するＩＣカードリーダ／ライタ３１６と、操作キー部３１７と、各種の情報の表示を行う液晶表示部３１２と、電源スイッチ３１８と、第１及び第２の独立機能スイッチ３１９１、３１９２と、ＩＣカード１０、１０’内の電子通貨に対する制御を行う電子通貨制御用マイクロプロセッサ３１３と、本発明の一実施形態による電子財布３１全体の制御を行うための制御部３１４とにより構成されている。さらに、図示電子財布は、電話回線３２３を介して接続される他の個人、銀行、流通業者のＩＣカードとの間で相互に電子通貨のやり取りを行うための電子財布専用のモデムユニット３２１を電子通貨制御用マイクロプロセッサ３１３に接続するためのモデムコネクタ３１１を備えて構成されている。
【００３８】
前述したように構成される本発明の一実施形態による電子財布の詳細な機能動作については後述するが、次に、簡単にその機能動作を説明する。
【００３９】
図示電子財布３１は、使用者が持ち歩く場合、電源スイッチ３１８をオフとした状態で、かつ、自己の電子通貨が格納されているＩＣカード１０をＩＣカードリーダ／ライタ３１５にセットしたままの状態とされている。そして、このＩＣカード１０を使用して、買物等の支払を行おうとする場合、使用者は、電子財布３１をポケット等から取り出して、第１の独立機能スイッチ３１９１を押すことにより、液晶表示部３１２にＩＣカード１０内の電子通貨の残額を確認し、さらに、第２の独立機能スイッチ３１９２を押し、ＩＣカード１０内の電子通貨の取扱が可能なように、暗証番号等を入力することによりロック解除を行う。その後、使用者は、ＩＣカード１０を取り出して買物をした商店等に置かれているＩＣカードによる取引のための端末装置に自己のＩＣカード１０を挿入して、図１により説明したように電子通貨による支払を行う。
【００４０】
前述において、第１及び第２の独立機能スイッチ３１９１、３１９２は、使用者が押しているときにのみオンとなって電子財布３１にバッテリー３２０から電源の供給を行うと共に、それぞれの第１及び第２の独立機能スイッチ３１９１、３１９２に予め対応付けた処理のみを実行させるものである。前述の例では、第１の独立機能スイッチ３１９１は、それを押すことにより、制御部３１４が（削除）識別して、ＩＣカード１０内の電子通貨の残額を液晶表示部３１２に表示し、また、第２の独立機能スイッチが押されると、ＩＣカード１０のロックの解除を行うための暗証番号の入力モードとされ、あるいは、ロックを行うためのモードに設定される。なお、ＩＣカード１０を電子財布３１に挿入することによって、ＩＣカード１０の接点が制御部３１４の接点に接触し、所定時間だけ電源がオンとなって電子通貨の残高を液晶表示部３１２に表示することもできる。また、暗証番号の他に暗証文字情報であってもよい。
【００４１】
次に、図示電子財布に、例えば、子供等の持つ他のＩＣカード１０’を挿入して自己のＩＣカード１０との間で相互に電子通貨を移動させる場合について簡単に説明する。
【００４２】
この場合、使用者は、他のＩＣカード１０’を２組設けられている一方のＩＣカードリーダ／ライタ３１６にセットし、電源スイッチ３１８をオンとした後、液晶表示部３１２に表示される操作等の指示に従って、操作キー部３１７の操作キーを操作することにより、ＩＣカード１０、１０’相互間で電子通貨の移動を行うことができる。なお、操作キー部３１７は数字キーと指示キーとからなる。
【００４３】
また、電話回線３２３を介して、他のＩＣカードと自己のＩＣカードとの間で電子通貨のやり取りを行う場合、電子財布専用モデムユニット３２１を電子財布３１に接続して、相手側装置との接続を行った後、前述の場合と同様に、液晶表示部３１２に表示される操作等の指示に従って、操作キー部３１７の操作キーを操作することにより、自己のＩＣカード１０と図示しない遠隔の個人、銀行等のＩＣカードとの相互間で電子通貨の移動を行うことができる。
【００４４】
図３は本発明の一実施形態による電子財布３１の外形を示す図、図４は図３の断面図、図５は図３に示す電子財布３１に取り付けられる電子財布専用モデムユニット３２１の外形を示す図であり、以下、これらの図を参照して、本発明の一実施形態による電子財布３１の構造について説明する。図３〜図５において、３２４は本体部、３２５は保護カバー、３２６は基板、３２７はイジェクトボタン、３１１１はモデムコネクタ、３１５１、３１６１、３１６２はカードスロット、３１９１、３１９２は第１及び第２の独立機能スイッチ、３２１１はモデムユニット本体部、３２１２はモジュラジャックであり、他の符号は図２の場合と同一である。
【００４５】
本発明の一実施形態による電子財布３１は、図３（ａ）〜図３（ｄ）図４に示すように、本体部３２４の上面に液晶表示部３１２と、操作キー部３１７とが設けられ、上側面にモデムユニット３２１を接続するモデムコネクタ３１１と、ＩＣカード１０’が挿入されるカードスロット３１６１が設けられ、下側面にＩＣカード１０が挿入されるカードスロット３１５１とこのカードのためのイジェクトボタン３２７が設けられ、さらに、左側面に電源スイッチ３１８と、第１及び第２の独立機能スイッチ３１９１、３１９２とが設けられて構成されている。
【００４６】
図示電子財布３１は、使用者が自分で使用するＩＣカード１０を、本体部３２４の下側面からカードスロット３１５１に挿入するように構成されており、ＩＣカード１０全体が本体部３２４の内部にまで挿入可能である。そして、ＩＣカード１０全体が本体部３２４の内部にまで挿入されたとき、ＩＣカード１０は、ＩＣカード１０に対する図示しないＩＣカードリーダ／ライタ３１５にセットされた状態になる。このＩＣカード１０の取り出しは、イドェクトボタン２３７を押すことにより行われる。
【００４７】
また、図示電子財布３１の上側面には、後述する電子財布専用モデムユニット３２１を接続するためのモデムコネクタ３１１と、もう１つの他のＩＣカード１０’を挿入するためのカードスロット３１６１が設けられている。このカードスロット３１６１の奥には、ＩＣカード１０’に対する図示しないＩＣカードリーダ／ライタ３１６が設けられており、ＩＣカード１０’がカードスロット３１６１に挿入されたとき、ＩＣカード１０’に対するＩＣカードリーダ／ライタ３１６にセットされた状態になる。この場合、ＩＣカード１０’は、その全体がカードスロット３１６１内に挿入されることはなく、半分程度挿入するだけで、ＩＣカードリーダ／ライタ３１６にセットされた状態になる。
【００４８】
さらに、図示電子財布３１の左側面には、電源スイッチ３１８と、残高確認のための第１の独立機能スイッチ３１９１と、ＩＣカード１０に対するロック、アンロックのための第２の独立機能スイッチ３１９２とが設けられる。
【００４９】
そして、図示電子財布３１が使用者によって持ち運ばれる場合、自己の所有するＩＣカード１０がカードスロット３１５１に挿入された状態で、図４に示すように、保護カバー３２５が取り付けられる。また、図４から判るように、電子財布３１の本体部３２４の内部には、図２により説明した各機能部を構成する基板３２６と、乾電池等による電源３２０とが収納されている。
【００５０】
電子財布専用モデムユニット３２１は、図５（ａ）〜図５（ｄ）に示すように、モデムユニット本体部３２１１の下側面に、電子財布３１の本体部３２４（図３（ａ））に設けられるモデムコネクタ３１１に結合するモデムコネクタ３１１１が設けられており、その左側面に電話回線等の通信回線との接続のためのモジュラージャック３２１２が設けられ、その内部に、通信回線とのインタフェースを行うモデムが設けられている。そして、このモデムユニット３２１は、モデムコネクタ３１１１を電子財布３１のモデムコネクタ３１１に結合することにより、電気的、機械的に電子財布３１に結合される。また、このモデムユニット３２１は、電子財布３１に結合された状態でも、他のＩＣカード１０’を挿入可能にするために、貫通するカードスロット３１６２が設けられている。
【００５１】
前述したような外部形状を有する本発明の一実施形態による電子財布３１は、その内部に実装する機能デバイスとして、シート状等の薄型のものを使用することにより全体の形状を極めて薄く形成することができ、電源としての乾電池を収納する部分以外の部分の厚さを程度８ｍｍにすることができ、電源として単４乾電池を使用する場合に、乾電池を収納する左側の部分の厚さを１４ｍｍ程度とすることができた。そして、保護カバー３２５を取り付けた場合にも、本体部３２４の厚みを１４ｍｍ程度に納めることができ、持ち運びに極めて便利である。
【００５２】
図６は本発明の一実施形態による電子財布３１と２枚のＩＣカード１０、１０’とを示す斜視図、図７は本発明の一実施形態による電子財布３１にモデムユニット３２１を取り付けた状態と２枚のＩＣカード１０、１０’とを示す斜視図である。
【００５３】
図６、図７に示すように、本発明の一実施形態による電子財布３１は、モデムユニット３２１が取り付けられているか否かに係わらず、２枚のＩＣカード１０、１０’を下側及び上側から挿入することが可能であり、また、下側から挿入されるＩＣカード１０は、前述で説明したように、その全体を本体に挿入することが可能である。そして、電子財布単体でも、また、モデムユニット３２１を取り付けた状態でも、ＩＣカード１０を収納して持ち歩くことができる。
【００５４】
図８は本発明の一実施形態による電子財布３１の操作キー部３１７のキーの配列と液晶表示部３１２の表示の形態とを説明する図であり、以下、この図を参照して、前述したように構成される本発明の一実施形態による電子財布３１の操作キー部３１７のキーの配列と液晶表示部３１２の表示の形態とについて説明する。
【００５５】
図８に示すように、操作キー部３１７は、記号の付されていない数字入力用の数字キーと指示キーとからなり、コントロールキー３５００は、クリア／キャンセルキーＣ、電子通貨の転送方向を指示するアップキーＵ及びダウンキーＤ、各種の機能を選択表示するファンクションキーＦ、及び、実行キーであるエンターキーＥとを有している。これらのコントロールキー３５００は、液晶表示部３１２に表示される各種の情報と関連させながら操作され、これにより、使用者が行いたいと思う各種の処理が行われる。
【００５６】
また、液晶表示部３１２に表示される情報は、図８に示すように、次に説明するようなものである。
【００５７】
タスクＳ、Ｔ、Ｌ、ＳＴ、Ｍは、ファンクションキーＦによって、その１つづつがサイクリックに表示されるものであり、Ｓはカード選択、Ｔは転送、Ｌはロック、ＳＴは履歴、Ｍはメニューの各機能をそれぞれ行わせるものである。
遠隔状態情報３１２１は、電話回線３２３等の通信回線を介して他のＩＣカード、例えば、図１に示すＩＣカード１０が接続されたとき表示される情報であり、接続されたカードがロック状態にあるか否かを示す。
上側ＩＣカード情報３１２２は、電子財布３１の上側面から挿入される他のＩＣカードの状態を示す情報であり、表示部３１２の上側に位置し、そのカード内の電子通貨の残高とそのカードがロック状態にあるか否かとを示す。
下側ＩＣカード情報３１２４は、電子財布の下側面から挿入される自己のＩＣカードの状態を示す情報であり、表示部３１２の下側に位置し、そのカード内の電子通貨の残高とそのカードがロック状態にあるか否かとを示す。
転送方向情報３１２３は、電子通貨をどの方向に移動させるか、すなわち、上側のＩＣカード１０から下側のＩＣカード１０’に移すのか、あるいはその逆かを示す情報であり、その方向を矢印により表示する。
機能情報３１２５は、タスクの内容を示す情報である。
【００５８】
図９は本発明の一実施形態による電子財布３１の機能階層を説明する図及びコントロールキー３５００を示す図、図１０は本発明の一実施形態による電子財布３１の機能操作を説明する図であり、以下、図９、図１０を参照して機能階層と機能操作とを説明する。
【００５９】
図９（ａ）において、第１および第２の独立機能スイッチ３１９１、３１９２のＢ、Ｌとして示すスイッチは、カード内の残額を表示するためのスイッチＢ、及び、カードのロックを解除するための暗証番号を入力可能とするスイッチＬであり、ノンロックのスイッチで構成されており、使用者がこれらのスイッチを押しているいる間だけ、電源をオンとして、そのスイッチに割り当てられている機能を実行する。
【００６０】
すなわち、使用者が、自己のＩＣカード１０を電子財布３１に収納した状態で、第１の独立機能スイッチ３１９１Ｂを押すと、スイッチＢが押されている間だけ、ＩＣカードリーダ／ライタ３１５内の内部回路は、これにより、ＩＣカード１０内の電子通貨の残高を読み出して、制御部３１４を介して表示部３１２に表示する。この動作は、図１４に示すフローチャートのＲｏｕｔｉｎｅ１４Ａに示されている。
【００６１】
また、使用者が第２の独立機能スイッチ３１９２Ｌを押すと、制御部３１４は、電子財布３１に収納されているＩＣカード１０内の電子通貨の出し入れを可能にするためのロック解除、または、ロックを掛けるモードに制御し、使用者は、スイッチＬを押した状態で、暗証番号を数字キーから入力することにより、ＩＣカード１０のロックを解除することができる。この動作は、図１４に示すフローチャートのＲｏｕｔｉｎｅ１４Ｂに示されている。
【００６２】
そして、使用者が電源スイッチ３１８Ｐを押すと、電子財布３１は、図１０に示すように、表示部３１２に自己のＩＣカード１０の電子通貨の残高を示すホームスクリーンを表示する状態になり、また、カード状態情報が表示される。このカード状態情報には、図１３に示すように、カード挿入状態３０１、すなわち、カードスロットにカードが挿入されているか、カード選択状態３０２、すなわち、挿入されているＩＣカードのうちどのＩＣカードが操作する状態になっているか、カードロック状態３０３、すなわち、ＩＣカードにロックがかかっているか、カード残高３０４、すなわち、ＩＣカードに電子通貨がいくら入っているかがある。
【００６３】
その後、ファンクションキーＦが押されると、このファンクションキーＦの第１の機能階層３５０２下のタスクである前述した、タスクＳ、Ｔ、Ｌ、ＳＴ、Ｍの１つを示すアイコンが表示部３１２に表示される。このアイコンによるタスクの表示は、図１０に示すように、ファンクションキーＦが押される毎に、サイクリックに表示内容が変化させられ、そのタスクが選択されていることを示すため、そのアイコンが点滅表示される。使用者は、自分が必要とするタスクのアイコンが表示されたとき、コントロールキー３５００の中の実行キーであるエンターキーＥを押すことにより、そのタスクが選択され使用、あるいは、実行可能な状態にされる。このとき、表示されているアイコンは、そのタスクが実行されていることを示すため連続点灯にされる。この動作は、図１４に示すフローチャートのＲｏｕｔｉｎｅ１４Ｃに示されている。
【００６４】
図１０に示す例は、タスクとしてタスクＳＴを選択実行しているので、ＩＣカード１０による買物等の取引の履歴情報が、表示部３１２にステートメントとして表示される。このタスクは、コントロールキー３５００のクリア／キャンセルキーＣを押すことにより終了し、表示部３１２は、ホームスクリーンを表示した状態となる。履歴情報はアップキーＵ、ダウンキーＤで最初から最新のものを選択して表示することができる。この動作は、図１５に示すフローチャートのＲｏｕｔｉｎｅ１５Ａに示されている。
【００６５】
前述したファンクションキーＦにより選択されるタスクＭは、図９（ａ）に示すように、この第１の機能階層３５０２のもう１つ下の第２の機能階層３５０３にあるタスクを選択するために使用され、第１の機能階層３５０２のタスクＭを選択してエンターキーＥを押すことにより、図９（ａ）に示す例では、第２の機能階層３５０３のタスクＣＵ、ＣＡが、アップキーＵおよびダウンキーＤにより選択可能となる。タスクＣＵは、通貨切換の機能であり、各国の通貨がＩＣカード１０に格納されている場合に、それらの通貨を選択するために使用される。また、タスクＣＡは、電卓の機能であり、これにより、電子財布３１を電卓として可能となる。アップキーＵとダウンキーＤは、表示部３１２に表示された通貨の変換手順を示す。この動作は、図１５に示すフローチャートのＲｏｕｔｉｎｅ１５Ｂに示されている。
【００６６】
図１１は前述したように構成される本発明の一実施形態による電子財布３１を使用して、２枚のＩＣカード１０、１０’相互間で電子通貨の移動を行う場合の動作例を説明する図であり、以下、これについて説明する。
【００６７】
（１）使用者が電子財布３１の下側面から自分のＩＣカード１０を挿入し、または、ＩＣカード１０を収納したままの状態で、電源スイッチ３１８をオンとすると、電子財布３１の表示部３１２は、そのＩＣカード１０の電子通貨の残高とロックの状態とを、下部側のＩＣカード１０の表示位置にホームスクリーンとして表示する。図示例において、黒地の表示は、そのカードに対する操作を行うことが可能であることを示している。また、図示例では、このＩＣカードが、ロックが掛けられている状態にあることを示している（画面Ａ）。
【００６８】
（２）自分のＩＣカード１０との間で電子通貨のやり取りを行おうとする他のＩＣカード１０’を、電子財布３１の上側面から挿入すると、そのＩＣカード１０’の電子通貨の残高が、上部側のＩＣカード１０’の表示位置に表示される。図示例では、この上部側のＩＣカード１０’には、ロックが掛けられていないことが示されている（画面Ｂ）。
【００６９】
（３）次に、ファンクションキーＦを操作して、電子通貨の移動のために、タスクＴの転送を選択して、エンターキーＥを押すと、上側ＩＣカード情報３１２２（図８）、下側ＩＣカード情報３１２４（図８）の部分が点滅表示される（画面Ｃ）。
【００７０】
（４）この状態で、電子通貨を転送する方向を指示するため、アップキーＵまたはダウンキーＤを押す。図示例では、上側ＩＣカード１０’から下側ＩＣカード１０に電子通貨を移すものとしてダウンキーＤを押している。この結果、上側ＩＣカード１０’から下側ＩＣカード１０に電子通貨を移すことを示す下向きの矢印が表示される。なお、ＩＣカードのロックは、そのカード内の電子通貨を引き出すときのみ解除されればよく、図示例の場合、下側のＩＣカード１０のロックは掛けられたままでよい。また、下側のＩＣカード１０から上側のＩＣカード１０’へ電子通貨を転送使用とする場合には、前述の画面ＣとＤとの間で、下側のＩＣカード１０のロックを解除する処理を行っておく必要がある（画面Ｄ）。
【００７１】
（５）決定キーとしてのエンターキーＥを押すことにより、通貨転送の実行が可能となり、今まで点滅表示であった上側ＩＣカード情報３１２２、下側ＩＣカード情報３１２４の部分が連続点灯に変わり、電子通貨を幾ら移動すかを入力させる指示スクリーンとなる（画面Ｅ）。
【００７２】
（６）数字キーを使用して移動すべき金額を入力すると、その金額が表示される。その後、エンターキーＥを押すと誤りがないか否かを確認する画面が表示される（画面Ｆ、Ｇ）。
【００７３】
（７）入力された移動すべき金額に誤りのないことを確認して、再度エンターキーＥを押すことにより、表示されている移動すべき金額の表示が点滅して、移動の処理を行っていることを示し、処理が終了すると、移動すべき金額の表示が連続点灯となり、電子通貨の移動により変化した上側及び下側のＩＣカード１０’、１０の電子通貨の残高が表示されて点滅する（画面Ｈ、Ｉ）。
【００７４】
（８）その後、電子通貨の移動後の２枚のＩＣカード１０、１０‘の残高を示している上側のＩＣカード１０’表示が連続点灯状態に変化する。引き続き、電子通貨の転送処理が可能な状態になるが、ここで、コントロールキー３５００のクリア／キャンセルキーＣを押すことにより、ホームスクリーンを表示する状態に戻り、他の機能を選択実行することが可能となる（画面Ｊ、Ｂ）。この動作は図１５に示すフローチャートのＲｏｕｔｉｎｅ１５Ｃに示されている。
【００７５】
前述では、本発明の一実施形態による電子財布を使用して２枚のＩＣカード１０、１０’相互間で電子通貨の移動を行う場合の動作例を示したが、本発明は、通信回線を用いて遠隔にあるＩＣカードと接続して電子通貨のやり取りを行うこともできる。なお、図１４、図１５に示すフローチャートのうち太線は電子財布３１の使用者が操作するステップ、他は電子財布３１自体の機能による。
【００７６】
図１２は遠隔にあるＩＣカードと接続して電子通貨のやり取りを行う場合の画面例を示す図であり、以下、これについて説明する。
【００７７】
図１２に示す例は、前述した電子通貨の転送動作の例における画面Ｂの状態で、上側のＩＣカード１０’に代わり、通信回線を用いて遠隔にあるＩＣカードが接続された場合の画面である。この場合にも、前述したと同様な操作で、２枚のＩＣカード相互間で、通信回線を介して電子通貨のやり取りを行うことができる。また、遠隔のＩＣカードが銀行にあるＩＣカードである場合、そのことをＢＡＮＫの表示により判るようにしている。この場合、電子財布３１に挿入されているＩＣカード１０、１０’のうち転送しようとするものを指示するために第１の機能階層３５０２のタスクＳをファンクションキー３５０１Ｆで指示し、アップキーＵまたはダウンキーＤでＩＣカードを指定する。この動作は、図１５に示すフローチャートのＲｏｕｔｉｎｅ１５Ｄに示されている。なお、図１５のフローチャートに示すＲｏｕｔｉｎｅ１５Ｅは、第１の機能階層３５０２のタスクＬを選択したときにロックの解除と設定をするものである。
【００７８】
前述した本発明の一実施形態による電子財布は、自分用のＩＣカードを１枚だけ収納して持ち歩くことができるように構成されたものであった。しかし、現在の電子通貨決済システムは、ＩＣカードに格納される電子通貨の金額が一定額以下に制限されており、この一定額を超える電子通貨による決済を行うことができないように構成されている。このような問題を解決するためには、電子財布に複数枚のＩＣカードを収納可能とし、各ＩＣカードの決済限度額を超えないように、決済すべき金額を各ＩＣカードに振り分けるようにすることが考えられる。
【００７９】
図１６は２枚の自分用のＩＣカードを収納可能とした電子財布３１の構造を説明する図である。
【００８０】
図１６（ａ）は全体の厚さを増加させないように、２枚のＩＣカードを縦方向に同一平面上に並べて配置した例である。この例では、厚さを増加させることはないが、縦方向の長さが大きくなる。縦方向の長さを短くするために、ＩＣカードを横方向に同一平面に並べて配置してもよい。
【００８１】
図１６（ｂ）は全体の長さが大きくなることを避けるため、２枚のＩＣカードを重ねて配置収納することができるようにした例である。この例の場合、その厚みがある程度大きくなるが、縦方向が長くなることはない。
【００８２】
図１６（ｃ）は２枚のＩＣカードに対するカードリーダ／ライタの接点部の位置を距離ａだけずれるように配置して、ＩＣカードの一部が重なるように配置収納した例である。この例によれば、厚さの増加も図１６（ｂ）に示すものほど増加せず、また、その全体の長さも、図１６（ａ）に示すものほど大きくすることなく、２枚のＩＣカードを収納することができる。
【００８３】
図１６（ａ）〜図１６（ｃ）に示す例は、使用者自身のＩＣカードを２枚収納するとして、他のＩＣカードに対するカードリーダ／ライタを設けることについて配慮していないが、これらに他のＩＣカードに対するカードリーダ／ライタを設け、この他のＩＣカードと自身のＩＣカードとの電子通貨のやり取りを行うことは、電子財布の大きさ、あるいは、厚さを僅かに大きくするだけで容易に構成することができる。
【００８４】
また、前述した本発明の一実施形態による電子財布３１は、ＩＣカードを下側面及び上側面から挿入するとして説明したが、右あるいは左側面から挿入するように構成することもできる。なお、前述で説明した電子財布３１の構造は、特願平７−２０３０５３号において本出願人らが提案した構造も適用することができる。
【００８５】
【発明の効果】
以上説明したように本発明によれば、電子通貨を格納したＩＣカードを収納して持ち歩くための電子財布を使用して、ＩＣカード相互間、一般の電話回線等を利用したＩＣカード相互間において信号の送受信を行うことにより、個人相互間、個人対銀行間、個人対流通業者間で電子通貨による決済を行うことができる。
【００８６】
また、本発明によれば、操作系に配置される操作キーの数を少なくして容易な操作を可能とし、表示を見易く理解し易いものとすることができ、通信系との接続が容易で、かつ、持ち運びに便利に薄型に構成した電子財布を提供することができる。
【図面の簡単な説明】
【図１】本発明によるＩＣカードリーダ／ライタが適用される電子通貨システムの構成を示すブロック図である。
【図２】本発明の一実施形態による電子財布の機能構成を示すブロック図である。
【図３】本発明の一実施形態による電子財布の外形を示す図である。
【図４】図３の断面図である。
【図５】図３に示す電子財布に取り付けられる電子財布専用モデムユニットの外形を示す図である。
【図６】本発明の一実施形態による電子財布と２枚のＩＣカードとを示す斜視図である。
【図７】本発明の一実施形態による電子財布にモデムユニットを取り付けた状態と２枚のＩＣカードとを示す斜視図である。
【図８】本発明の一実施形態による電子財布の操作キー部のキー配列と液晶表示部の表示の形態とを説明する図である。
【図９】本発明の一実施形態による電子財布の機能階層を説明する図である。
【図１０】本発明の一実施形態による電子財布の機能操作を説明する図である。
【図１１】本発明の一実施形態による電子財布を使用して、２枚のカード相互間で電子通貨の移動を行う場合の動作例を説明する図である。
【図１２】遠隔にあるＩＣカードと接続して電子通貨のやり取りを行う場合の画面例を示す図である。
【図１３】本発明の一実施形態による電子財布の表示部にＩＣカードの状態を示した図である。
【図１４】ＩＣカードの状態を表示部に表示する際の手順を示すフローチャートである。
【図１５】ＩＣカードの処理機能の処理動作を示すフローチャートである。
【図１６】２枚の自分用のＩＣカードを収納可能とした電子財布の構造を説明する図である。
【符号の説明】
１  銀行営業店システム
２  流通システム
３  エンドユーザシステム
４  自動販売機システム
５  銀行計算機センタ
６  電子通貨発行組織
７  公衆通信網
１０  ＩＣカード
１１  外付けＩＣカードリーダ／ライタ
１２  窓口端末
１３  内部通信回線
１４  現金自動預入支払機
１５  電子金庫
１６  電子通貨トランザクション制御端末
１７  リレーコンピュータ
２１  電子通貨用ＰＯＳ端末
２２  ＰＯＳ端末
２３  ストアコントローラー
２４  センタ装置
２５  情報制御システム
２６  ワークステーション
３１  電子財布
３２  パソコン
１１  ＩＣカード型カードリーダ／ライタ
４１  内蔵型ＩＣカードリーダ／ライタ
４２  自動販売機
５１  勘定系システムホスト
５２  外接系システム
５３  外接系制御端末
３１１、３１１１  モデムコネクタ
３１２  液晶表示部
３１３  電子通貨制御用マイクロプロセッサ
３１４  制御部
３１５、３１６  ＩＣカードリーダ／ライタ
３１７  操作キー部
３１８  電源スイッチ
３１９１  第１の独立機能スイッチ
３１９２  第２の独立機能スイッチ
３２０  バッテリー
３２１  電子財布用モデムユニット
３２３  電話回線
３２４  本体部
３２５  保護カバー
３２６  基板
３２７  イジェクトボタン
３１５１、３１６１、３１６２  カードスロット
３２１１  モデムユニット本体部
３２１２  モジュラジャック
３５００  コントロールキー
３５０１  ファンクションキー
３５０２  第１の機能階層
３５０３  第２の機能階層
【図１】
0003580974.tif 000002
【図２】
0003580974.tif 000003
【図３】
0003580974.tif 000004
【図４】
0003580974.tif 000005
【図５】
0003580974.tif 000006
【図６】
0003580974.tif 000007
【図７】
0003580974.tif 000008
【図８】
0003580974.tif 000009
【図９】
0003580974.tif 000010
【図１０】
0003580974.tif 000011
【図１１】
0003580974.tif 000012
【図１２】
0003580974.tif 000013
【図１３】
0003580974.tif 000014
【図１４】
0003580974.tif 000015
【図１５】
0003580974.tif 000016
【図１６】
0003580974.tif 000017